(57)【要約】【課題】受信信号の正確な同期タイミング信号検出と、遅延プロファイル算出を両立する同期検出回路を提供する。【解決手段】データ選択手段２５は例えば１６フィールド中の１５フィールドは等化後信号を、残り１フィールドは等化前信号を選択する。相関手段１００２は入力をシフトレジスタで１シンボルずつ遅延させ、入力と参照シンボル列との畳み込み演算を行い、その演算結果である相関値を逐次出力する。最大値位置検出手段１００３は最大相関値の位置を検出する。信頼性測定手段１００４は所定のフィールド数連続で最大値位置が同一であった場合に、タイミングを合わせて同期パルスを出力する。遅延プロファイル記憶手段２４は、等化前信号が選択されたフィールドに関して、相関手段１００２の出力を最新の遅延プロファイルとして記憶更新する。【選択図】図２
2005333300.tif 000002
【特許請求の範囲】
【請求項１】
通常は伝送路歪を波形等化した後の信号を用いて同期タイミング検出を行い、
周期的に伝送路歪を波形等化する前の信号を用いて同期タイミング検出するとともに遅延プロファイル算出を行うことを特徴とする同期検出回路。
【請求項２】
伝送路歪を波形等化した後の信号を用いて同期タイミング検出を行うとともに、
同期タイミング位置に従って、伝送路歪を波形等化する前の信号と、前記伝送路歪を波形等化する前の信号に含まれる参照信号値列との相互相関を取ることにより遅延プロファイル算出を行うことを特徴とする同期検出回路。
【請求項３】
入力された入力信号値列に含まれる参照信号値列に基づいて、同期検出を行う同期検出回路であって、
伝送路歪を波形等化した後の信号と前記参照信号値列との相互相関を、前記伝送路歪を波形等化した後の信号の入力速度より速く行って同期タイミング検出を行い、
空き時間に伝送路歪を波形等化する前の信号と前記参照信号値列との相互相関を、前記伝送路歪を波形等化する前の信号の入力速度より速く行って遅延プロファイル算出を行うことを特徴とする同期検出回路。
【請求項４】
前記同期検出回路は、入力された入力信号値列に含まれる参照信号値列に基づいて同期検出を行うものであって、
通常は伝送路歪を波形等化した後の信号を選択し、周期的に伝送路歪を波形等化する前の信号を選択して出力するデータ選択手段と、
前記データ選択手段の出力データと前記参照信号値列との相互相関を取って同期タイミング検出を行い、相互相関値の内前記波形等化する前の信号を用いた値を遅延プロファイルとして算出する同期タイミング検出手段と、を備えることを特徴とする請求項１に記載の同期検出回路。
【請求項５】
通常は伝送路歪を波形等化した後の信号を選択し、周期的に伝送路歪を波形等化する前の信号を選択して出力するデータ選択手段と、
前記データ選択手段の出力データを用いて同期タイミング検出を行うとともに、同期タイミングの上位候補位置を出力する同期タイミング検出手段と、
前記上位候補位置に従って、伝送路歪を波形等化する前の信号と、前記伝送路歪を波形等化する前の信号に含まれる参照信号値列との相互相関を取ることにより遅延プロファイル算出を行う遅延プロファイル算出手段と、を備えることを特徴とする請求項１に記載の同期検出回路。
【請求項６】
前記同期タイミング検出手段は、前記データ選択手段の出力データと前記参照信号値列との相互相関を取ることにより同期タイミング検出を行うことを特徴とする請求項５に記載の同期検出回路。
【請求項７】
伝送路歪を波形等化した後の信号を用いて同期タイミング検出を行う同期タイミング検出手段と、
前記同期タイミング位置に従って、伝送路歪を波形等化する前の信号と、前記伝送路歪を波形等化する前の信号に含まれる参照信号値列との相互相関を取ることにより遅延プロファイル算出を行う遅延プロファイル算出手段と、を備えることを特徴とする請求項２に記載の同期検出回路。
【請求項８】
前記同期タイミング検出手段は、前記伝送路歪を波形等化した後の信号と前記参照信号値列との相互相関を取ることにより同期タイミング検出を行うことを特徴とする請求項７に記載の同期検出回路。
【請求項９】
前記遅延プロファイル算出手段は、前記伝送路歪を波形等化する前の信号と前記参照信号値列との各乗算結果を累積加算するループフィルタにより構成されることを特徴とする請求項５または７に記載の同期検出回路。
【請求項１０】
伝送路歪を波形等化した後の信号と前記参照信号値列との相互相関を、前記伝送路歪を波形等化した後の信号の入力速度より速く行って同期タイミング検出を行い、空き時間に伝送路歪を波形等化する前の信号と前記参照信号値列との相互相関を、前記伝送路歪を波形等化する前の信号の入力速度より速く行って遅延プロファイル算出を行う同期タイミング検出手段を備えることを特徴とする請求項３に記載の同期検出回路。
【請求項１１】
前記同期検出回路は更に、
前記同期タイミング検出手段で算出された遅延プロファイルを記憶する遅延プロファイル記憶手段を備えることを特徴とする請求項４または１０に記載の同期検出回路。
【請求項１２】
同期タイミング検出を行う同期検出回路に用いられる同期検出方法であって、
前記同期検出回路は、通常は伝送路歪を波形等化した後の信号を用いて同期タイミング検出を行い、
周期的に伝送路歪を波形等化する前の信号を用いて同期タイミング検出するとともに遅延プロファイル算出を行うことを特徴とする同期検出方法。
【請求項１３】
同期タイミング検出を行う同期検出回路に用いられる同期検出処理を行わせるプログラムであって、
前記同期検出処理は、通常は伝送路歪を波形等化した後の信号を用いて同期タイミング検出を行い、
周期的に伝送路歪を波形等化する前の信号を用いて同期タイミング検出するとともに遅延プロファイル算出を行うことを特徴とするプログラム。
【発明の詳細な説明】
【技術分野】
【０００１】
本発明は、受信信号の正確な同期タイミング信号検出と遅延プロファイル算出を両立する技術に関する。
【背景技術】
【０００２】
米国で行われている地上波デジタル放送において、限られたハードウェア規模で正確な同期タイミング信号検出と遅延プロファイル算出を両立させることができないという問題があった。
【０００３】
従来の同期検出回路として、下記の特許文献１に開示されている同期検出回路が挙げられる。
【０００４】
図１５は、特許文献１に開示されている同期検出回路の機能構成を示す図である。
【０００５】
同期検出回路１００１は、相関手段１００２、最大値位置検出手段１００３及び信頼性測定手段１００４を備える。
【０００６】
相関手段１００２は、受信信号である入力信号と受信側において既知の同期信号との相互相関をとる。最大値位置検出手段１００３は、その結果得られる相関値の列において最大値となる位置を検出し、信頼性測定手段１００４は、最大値位置検出手段１００３において検出された最大値の位置が正しい同期信号の位置かどうかを確定するために、その信頼性を測定し、例えば同期位置を示す同期パルス信号を出力する。
【特許文献１】米国特許第６５０４５７８号明細書
【発明の開示】
【発明が解決しようとする課題】
【０００７】
また相関手段１００２の出力を上述の同期検出のために用いると共に、マルチパスによる遅延波の様子を示す遅延プロファイルとして用いることもできる。
【０００８】
図１６に示すように、同期検出回路１００１の入力として伝送路歪を補償する波形等化部１０１１より前段の信号を用いると、同期検出と遅延プロファイル算出を両立することができる。しかしながらこの場合には、同期検出回路１００１と波形等化部１０１１が共に伝送路歪を含んだ信号を用いるため、厳しいマルチパス環境下では同期検出回路１００１による同期パルス信号と波形等化部１０１１のセンタータップ位置が一致しない状況が発生する。すなわち、同期検出回路１００１と波形等化部１０１１がそれぞれ検出する主波が異なる状況が発生する。この状況では、波形等化部１０１１出力である復調出力と同期検出回路１００１出力である同期パルスの位置がずれることになり、後段の誤り訂正部で正しく誤り訂正ができなくなる。
【０００９】
一方図１７に示すように、同期検出回路１００１の入力として伝送路歪を補償する波形等化部１０１１の出力を用いると、正確な同期タイミング信号検出ができる。これは同期検出回路１００１の入力は伝送路歪を補償された信号であり、同期検出回路１００１と波形等化部１０１１がそれぞれ検出する主波が異なる可能性を低減できるためである。しかしながらこの場合には、同期検出回路１００１の入力はマルチパスによる遅延波が除去されており、遅延プロファイル算出ができない。このため、更に１系統の相関手段１００２を設けて、波形等化部１０１１より前段の信号を用いて遅延プロファイル算出を行わなければならない。これはハードウェア規模の増大を招いてしまう。
【００１０】
本発明は、上述の問題を解決するべくなされたものであり、正確な同期タイミング信号検出と遅延プロファイル算出を両立する同期検出回路、同期検出方法及びプログラムを提供することを目的とする。
【課題を解決するための手段】
【００１１】
上記目的を達成するために、本発明に係る同期検出回路は、通常は伝送路歪を波形等化した後の信号を用いて同期タイミング検出を行い、周期的に伝送路歪を波形等化する前の信号を用いて同期タイミング検出するとともに遅延プロファイル算出を行うことを特徴とする。
【００１２】
また、上記目的を達成する信号検出方法は、同期タイミング検出を行う同期検出回路に用いられる同期検出方法であって、前記同期検出回路は、通常は伝送路歪を波形等化した後の信号を用いて同期タイミング検出を行い、周期的に伝送路歪を波形等化する前の信号を用いて同期タイミング検出するとともに遅延プロファイル算出を行うことを特徴とする。
【００１３】
また、上記目的を達成するプログラムは、同期タイミング検出を行う同期検出回路に用いられる同期検出処理を行わせるプログラムであって、前記同期検出処理は、通常は伝送路歪を波形等化した後の信号を用いて同期タイミング検出を行い、周期的に伝送路歪を波形等化する前の信号を用いて同期タイミング検出するとともに遅延プロファイル算出を行うことを特徴とする。
【発明の効果】
【００１４】
上記目的を達成する請求項１の同期検出回路の構成によれば、正確な同期タイミング信号検出を行うとともに、遅延プロファイル算出を行うことができる。
【００１５】
また上記目的を達成する請求項２の同期検出回路の構成によれば、相関手段を用いない小さな回路規模の構成でも正確な同期タイミング信号検出を行うとともに、遅延プロファイル算出を行うことができる。
【００１６】
また上記目的を達成する請求項３の同期検出回路の構成によれば、正確な同期タイミング信号検出を行うとともに、周期的にではなく常に遅延プロファイル算出を行うことができる。
【００１７】
また上記目的を達成する請求項４の同期検出回路の構成によれば、正確な同期タイミング信号検出を行うとともに、遅延プロファイル算出を行うことができる。
【００１８】
また上記目的を達成する請求項５の同期検出回路の構成によれば、相関手段を用いない小さな回路規模の構成でも正確な同期タイミング信号検出を行うとともに、大きな値を持つ遅延プロファイルについては確実に算出を行うことができる。
【００１９】
また上記目的を達成する請求項６の同期検出回路の構成によれば、同期タイミング信号検出の正確性を更に高めると共に、遅延プロファイル算出を行うことができる。
【００２０】
また上記目的を達成する請求項７の同期検出回路の構成によれば、相関手段を用いない小さな回路規模の構成でも正確な同期タイミング信号検出を行うとともに、遅延プロファイル算出を行うことができる。
【００２１】
また上記目的を達成する請求項８の同期検出回路の構成によれば、同期タイミング信号検出の正確性を更に高めると共に、遅延プロファイル算出を行うことができる。
【００２２】
また上記目的を達成する請求項９の同期検出回路の構成によれば、正確な同期タイミング信号検出を行うとともに、小さな回路規模で遅延プロファイル算出を行うことができる。
【００２３】
また上記目的を達成する請求項１０の同期検出回路の構成によれば、正確な同期タイミング信号検出を行うとともに、周期的にではなく常に遅延プロファイル算出を行うことができる。
【００２４】
また上記目的を達成する請求項１１の同期検出回路の構成によれば、正確な同期タイミング信号検出を行うとともに、算出した遅延プロファイルを記憶更新することができる。
【００２５】
また上記目的を達成する請求項１２の同期検出方法によれば、正確な同期タイミング信号検出を行うとともに、遅延プロファイル算出を行うことができる。
【００２６】
また上記目的を達成する請求項１３のプログラムによれば、正確な同期タイミング信号検出を行うとともに、遅延プロファイル算出を行うことができる。
【発明を実施するための最良の形態】
【００２７】
以下、本発明の各実施形態について、図面を用いて詳細に説明する。
【００２８】
（実施の形態１）
図１は、本発明に係る同期検出回路を用いる放送受信装置の機能構成を示す図である。
【００２９】
放送受信装置１は、米国の地上波デジタル放送方式である、ＡＴＳＣ（Ａｄｖａｎｃｅｄ Ｔｅｌｅｖｉｓｉｏｎ Ｓｙｓｔｅｍｓ Ｃｏｍｍｉｔｔｅｅ）方式と呼ばれている単一搬送波の８値ＶＳＢ（Ｖｅｓｔｉｇｉａｌ Ｓｉｄｅ Ｂａｎｄ）変調方式対応の受信装置である。機能的には、フロントエンド部２とバックエンド部３の２つに分けられる。
【００３０】
フロントエンド部２は、チューナ１１、復調部１２、同期検出回路１３、波形等化部１０１１及び誤り訂正部１４から構成される。
【００３１】
チューナ１１は、受信したＶＳＢ変調放送波を選局する機能を有する。
【００３２】
復調部１２は、選局されたＶＳＢ変調放送波を復調してＶＳＢ信号のシンボル列を出力する機能を有する。ＶＳＢ信号のデータ構造については後で述べる。
【００３３】
同期検出回路１３は、シンボル列からセグメント同期信号及びフィールド同期信号を検出すると共に、遅延プロファイルを算出する機能を有する。
【００３４】
波形等化部１０１１は、マルチパスや白色雑音によって歪められたシンボル列から、歪み成分を除去する機能を有する。
【００３５】
誤り訂正部１４は、伝送路で生じた信号の符号誤りを訂正し、トランスポートストリームを出力する機能を有する。
【００３６】
バックエンド部３は、フロントエンド部２から出力されたトランスポートストリームを受けて、映像信号又は音声信号に変換して出力する機能を有する。
【００３７】
ここで、ＡＴＳＣ方式のＶＳＢデータフレームについて説明する。
【００３８】
図２はＡＴＳＣ方式のＶＳＢデータフレームのデータ構造を示したものである。
【００３９】
ＶＳＢデータフレームは第１フィールドと第２フィールドの２つのフィールドから構成される。
【００４０】
１フィールドは、３１３セグメントからなり、先頭のセグメントは、フィールド同期セグメントである。第１フィールドと第２フィールドの違いは、フィールド同期セグメントに含まれる３つのＰＮ６３シンボル列のうち、２番目のＰＮ６３シンボル列の極性が反転していることで識別できる。
【００４１】
１セグメントは、セグメント同期シンボル列（４シンボル）とデータシンボル列（８２８シンボル）から成る。１シンボルは、８ＶＳＢモードの場合、３ビット／シンボルである。
【００４２】
フィールド同期セグメントは、セグメント同期（４シンボル）、トレーニング信号（７２４シンボル）及び予約領域等（１０４シンボル）から成る。
【００４３】
トレーニング信号は、信号帯域内で擬似ランダムな値をとる擬似雑音信号である。トレーニング信号は、ＰＮ５１１シンボル列（５１１シンボル）、ＰＮ６３シンボル列（６３シンボル）が３つ（合計１８９シンボル）、２ＶＳＢ、４ＶＳＢ、８ＶＳＢ、１６ＶＳＢ及びＴＣ８ＶＳＢの５種類のＶＳＢモードを識別するＶＳＢモードシンボル列（２４シンボル）から成る。
【００４４】
データセグメントを構成する各データシンボルは、８ＶＳＢモードの場合、映像、音声、データ等の情報を符号化したものを、＋７、＋５、＋３、＋１、−１、−３、−５、−７の８レベルの値で表される。
【００４５】
セグメント同期シンボル列及びフィールド同期シンボル列の各シンボルは、８ＶＳＢモードの場合、予約シンボル列の一部を除いて、＋５、−５の２レベルの値で表される。
【００４６】
本実施形態において、同期検出回路１３が検出する対象の信号は、上述したセグメント同期やトレーニング信号である。
【００４７】
次に、実施の形態１の同期検出回路１３の機能構成について詳しく述べる。同期検出回路１３以外の各機能部は従来技術を用いたものであり、詳細な説明は省略する。
【００４８】
図３は、同期検出回路１３の機能構成を示す図である。
【００４９】
同期検出回路１３は図１５の同期検出回路１００１において、データ選択手段２５を加えた構成である。但し、図１５の同期検出回路１００１である相関手段１００２と、最大値位置検出手段１００３と、信頼性測定手段１００４で構成される部分を同期タイミング検出手段２６として再定義している。またデータ選択手段２５は、遅延手段２１と、セレクタ２２と、カウンタ２３とで構成される。
【００５０】
遅延手段２１は遅延合わせのため、復調部１２の出力を波形等化部１０１１の処理遅延分だけ遅延させる。カウンタ２３はフィールド周期をカウントし、０か１の選択信号を出力する。例えば１６フィールド中、１５フィールドは０を、１フィールドは１を出力する。セレクタ２２はこの選択信号が０の時には波形等化部１０１１の出力を選択し、１の時には復調部１２の出力を選択する。
【００５１】
相関手段１００２は、逐次入力されるシンボル列と既知のシンボル列（以下、単に参照シンボル列と呼ぶ。）との相互相関をとる機能を有する。
【００５２】
図４は、相関手段１００２の構成の一例を示した図である。相関手段１００２は、相関をとる長さ分だけの遅延部２７と、参照シンボル列入力部２８と、相関をとる長さ分だけの乗算器２９と、加算器３０とで構成される。
【００５３】
図４に示す相関手段１００２は、入力信号であるシンボル列を、シフトレジスタ等で構成された遅延部を用いて１シンボルずつ遅延させることで、シンボル列と、参照シンボル列入力部に入力された参照シンボル列との照合位置を１つずつずらして、畳み込み演算を行い、その演算結果である相関値を逐次出力する。図４に示す構成は、従来の相関器と同様であり、詳細な説明は省略する。
【００５４】
本実施形態では、トレーニング信号の一部を参照シンボル列として用いる。
【００５５】
最大値位置検出手段１００３は、相関手段１００２において入力シンボル列と参照シンボル列との相互相関をとった結果得られる、相関値の列（以下、単に相関値列と呼ぶ。）から、最大値とみなされる相関値の、当該相関値列上の位置を検出する機能を有する。
【００５６】
図５は、相関手段１００２により入力シンボル列と参照シンボル列との相互相関をとった結果得られた相関値列の一例を、グラフ化した図である。図５はセレクタ２２で復調部１２の出力を選択した場合に得られる相関値列の一例であり、主波（Ｔ＝９）の２シンボル後に大きな遅延波（Ｔ＝１１）が存在していることが分かる。これを遅延プロファイルとして用いることができる。なおセレクタ２２で波形等化部１０１１の出力を選択した場合には遅延波（Ｔ＝１１）は除去されており、主波（Ｔ＝９）以外の相関値は小さな値に抑圧される。
【００５７】
図５の場合、最大値位置検出手段１００３は、Ｔ＝９における相関値＝１８５（Ｓ２１）を最大値として検出し、Ｔ＝９を最大値位置として出力する。
【００５８】
信頼性測定手段１００４は、例えば所定のフィールド数連続で最大値位置が同一であった場合に同期検出ができたとして、波形等化部の入力信号にタイミングを合わせて同期パルスを出力する。この機能は通常、後方保護と呼ばれる。同期パルスはフィールド同期セグメントとセグメント同期シンボルを示すものである。
【００５９】
また相関手段１００２は前述の選択信号が１のとき、すなわち復調部１２の出力が選択されているフィールドに関しては遅延プロファイルを算出していることになる。
【００６０】
以上の構成により、通常は波形等化部１０１１の出力に対する相関をとって正確な同期タイミング信号検出を行い、周期的に復調部１２の出力に対する相関をとって遅延プロファイル算出を行うことができる。
【００６１】
なお信頼性測定手段１００４には後方保護に加えて、前方保護と呼ばれる機能を通常有している。前方保護とは、同期が確立して同期パルスを出力している状態で、所定のフィールド数連続で最大値位置が異なる場合に同期が外れたとして同期パルスの出力を停止する機能である。復調部１２の出力を選択するフィールドでは最大値位置が異なる確率が高まるが、前方保護により同期外れを防止することができる。
【００６２】
更に図３の同期検出回路１３に遅延プロファイル記憶手段２４を追加しても良い。遅延プロファイル記憶手段２４は、相関手段１００２が遅延プロファイルを生成しているフィールドに関して、相関手段１００２の出力を最新の遅延プロファイルとして記憶更新する。遅延プロファイル記憶手段２４は１フィールド全てを記憶しても良く、回路規模削減のため信頼性測定手段１００４から出力される同期パルスを用いて、Ｔ＝９の最大値付近のみを記憶しても良い。
【００６３】
＜変形例１＞
本発明は、次に示す遅延プロファイル算出を行うものであってもよい。
【００６４】
図６は、変形例１における同期検出回路３１の機能構成を示す図である。
【００６５】
同期検出回路３１は図３の同期検出回路１３において、同期タイミング検出手段３４の最大値位置検出手段１００３を上位位置検出手段３２に置き換え、ループフィルタ３３を２個加えた構成である。
【００６６】
以下、図３の同期検出回路１３との動作の違いのみを説明する。上位位置検出手段３２は相関手段１００２で算出した相関値を観測して、例えば最大値と第２位の位置を検出して、それぞれを２個のループフィルタ３３に出力する。
【００６７】
図７に、ループフィルタ３３の構成を示す。ループフィルタ３３は乗算器４１と、加算器４２と、参照シンボル列生成手段４３と、位置情報更新手段４４と、リセットホールド信号生成手段４５と、フリップフロップ４６とで構成される。
【００６８】
位置情報更新手段４４は前述の選択信号が１のとき、すなわち復調部１２の出力が選択されているフィールドにおいて、前述の最大値あるいは第２位の位置情報を更新する。リセットホールド信号生成手段４５は位置情報更新手段４４から出力される位置情報によって、相関をとる先頭シンボルの直前にリセット信号を生成し、相関をとる最終シンボルの直後からホールド信号を生成する。すなわち、最大値あるいは第２位の相関値が得られるように信号の生成タイミングを調整する。参照シンボル列生成手段４３はリセット信号によって参照シンボルの出力開始タイミングを決定して、参照シンボルを出力する。乗算器４１は遅延手段２１の出力データと参照シンボルの乗算を行い、加算器４２はこの乗算結果とフリップフロップ４６との加算を行う。フリップフロップ４６はこの加算結果を記憶する。但し、フリップフロップ４６はリセット信号で０にリセットし、ホールド信号で値を保持する。
【００６９】
以上の構成により、最大値あるいは第２位の相関値を毎フィールド算出することができる。すなわち相関値上位２波に関する遅延プロファイルを小さな回路規模で算出できる。この変形例１では、同期検出を行う構成としては相関を用いる必要はなく、他の構成で同期タイミング位置、次に確からしいタイミング位置をそれぞれ上述の最大値、第２位の代わりに用いて良い。
【００７０】
また上位位置検出手段３２で、例えば相関値の上位１０位までの位置を検出し、ループフィルタ３３を１０個設ければ相関値上位１０波に関する遅延プロファイルを算出できる。相関値上位の何波の遅延プロファイルを算出するかは任意である。
【００７１】
＜変形例２＞
本発明は、次に示す遅延プロファイル算出を行うものであってもよい。
【００７２】
図８は、変形例２における同期検出回路４１の機能構成を示す図である。
【００７３】
同期検出回路４１は図１５の同期検出回路１００１において、ループフィルタ３３を２個加えた構成である。
【００７４】
以下、図１５の同期検出回路１００１との動作の違い、すなわちループフィルタ３３の動作のみを説明する。
【００７５】
図７のループフィルタ３３において、変形例２では乗算器４１への入力が遅延手段２１から復調部１２に置き換わる。また位置情報更新手段４４への入力はループフィルタ３３の２つとも相関最大値（１位）の位置となる。例として、最大値の位置、及びその１シンボル後の遅延プロファイルを算出する場合を考える。
【００７６】
位置情報更新手段４４は毎フィールド、前述の最大値の位置情報を更新する。リセットホールド信号生成手段４５は変形例１と同様にして、最大値あるいはその１シンボル後の相関値が得られるように信号の生成タイミングを調整する。
【００７７】
以上の構成により、最大値あるいはその１シンボル後の相関値を毎フィールド算出することができる。この変形例２では、同期検出を行う構成としては相関を用いる必要はなく、例えば特開平１０−２２４３３８や特開２００２−２６８８７に示された相関を用いないものでも良い。この場合には、ループフィルタ３３は最大値位置検出手段１００３から出力される相関最大値（１位）の位置の代わりに、同期位置を示す情報を用いれば遅延プロファイルを算出できる。これにより相関手段１００２が不要となり、小さな回路規模で遅延プロファイルを算出できる。
【００７８】
また、相関最大値に対して前後何シンボルずれた遅延プロファイルを算出するかは任意である。ループフィルタ３３を１０個設ければ、選ばれた１０シンボル分の遅延プロファイルを算出できる。何シンボル分の遅延プロファイルを算出するかは任意である。
【００７９】
＜変形例３＞
本発明は、次に示す遅延プロファイル算出を行うものであってもよい。
【００８０】
図９は、変形例３の同期検出回路５１の機能構成を示す図である。
【００８１】
同期検出回路５１は図３の同期検出回路１３において、セレクタ２２、及びカウンタ２３を削除し、同期タイミング検出手段５３の相関手段１００２の構成が変わって相関手段５２に置き換えた構成である。
【００８２】
図１０に、相関手段５２の構成を示す。相関手段５２は図４の相関手段１００２において、相関をとる長さ分だけの遅延部２７がもう１系等分加えて、相関をとる長さ分だけのセレクタ６１を加えた構成である。
【００８３】
以下、図３の同期検出回路１３との動作の違いのみを説明する。波形等化部１０１１の出力が相関手段５２の一方の遅延部２７の群、すなわちシフトレジスタに入力され、遅延手段２１の出力が他方の遅延部２７の群、すなわちシフトレジスタに入力される。セレクタ６１が、双方のシフトレジスタの入力と各遅延部２７の出力をシフトレジスタへのデータ入力の倍速で切り替える。乗算器２９と加算器３０での演算も倍速で行われる。その結果、相関手段５２からは波形等化部１０１１の出力を用いた相関値と遅延手段２１の出力を用いた相関値が倍速で１シンボル毎に交互に出力される。すなわち、同期タイミング検出に用いる相関値と遅延プロファイルが倍速で１シンボル毎に交互に出力されることになる。
【００８４】
なお、相関手段５２を図１１の構成に置き換えても良い。相関手段５２は図４の相関手段１００２において、２つのメモリ７１と、セレクタ７２を加えた構成である。２つのメモリ７１には、それぞれ波形等化部１０１１の出力、遅延手段２１の出力が順次書き込まれる。書き込みと並行して、メモリ７１から書き込みの倍速で順次データが読み出される。２つのメモリ７１のデータ読み出しは双方の読み出しが同時に行われないように、周期的に切り替えられる。セレクタ７２が、読み出しが行われているメモリ７１の読み出しデータを選択する。遅延部２７の群のシフトレジスタ動作、乗算器２９と加算器３０での演算も倍速で行われる。その結果、相関手段５２からは波形等化部１０１１の出力を用いた相関値と遅延手段２１の出力を用いた相関値が倍速で周期的に交互に出力される。すなわち、同期タイミング検出に用いる相関値と遅延プロファイルが倍速で周期的に交互に出力されることになる。
【００８５】
また図９において前述の相関値出力の内、最大値位置検出手段１００３は波形等化部１０１１の出力を用いた相関値のみを入力として選択する。
【００８６】
以上の構成により、常に波形等化部１０１１の出力に対する相関をとって正確な同期タイミング信号検出を行うと共に、常に復調部１２の出力に対する相関をとって、毎フィールド遅延プロファイル算出を行うことができる。
【００８７】
更に図９の同期検出回路５１に、遅延プロファイル記憶手段２４を追加しても良い。遅延プロファイル記憶手段２４は、相関手段１００２が遅延プロファイルを生成しているタイミングに関して、相関手段１００２の出力を最新の遅延プロファイルとして記憶更新する。遅延プロファイル記憶手段２４は１フィールド全てを記憶しても良く、回路規模削減のため信頼性測定手段１００４から出力される同期パルスを用いて、Ｔ＝９の最大値付近のみを記憶しても良い。
【００８８】
＜変形例４＞
本発明は、次に示す遅延プロファイル算出を行うものであってもよい。
【００８９】
図１２は、変形例４の放送受信装置８１の機能構成を示す図である。
【００９０】
放送受信装置８１は図１の放送受信装置１において、フロントエンド部２の構成が変わってフロントエンド部８２に置き換えた構成である。フロントエンド部８２は図１のフロントエンド部２において、波形等化部１０１１と同期検出回路１３の構成が変わって、それぞれ波形等化部８３、同期検出回路１１３に置き換えた構成である。
【００９１】
図１３に、波形等化部８３の構成を示す。波形等化部８３は図４の相関手段１００２において、参照シンボル入力部２６を係数生成部９１に置き換え、センタータップ出力を等化前信号として出力する機能を追加した構成である。なお図１３に示す構成は、等化前信号を出力する機能を追加した以外は従来の波形等化部１０１１と同様であり、詳細な説明は省略するが、等化前信号が等化後信号と処理遅延が合っていることが重要である。
【００９２】
このことにより図１４に示すように、同期検出回路８４は図３の同期検出回路１３において、遅延合わせのための遅延手段２１を削除することができる。
【００９３】
以上の構成により、通常は波形等化部１０１１の出力に対する相関をとって正確な同期タイミング信号検出を行い、周期的に復調部１２の出力に対する相関をとって遅延プロファイル算出を行うことができる上に、回路規模を削減できる。
【００９４】
同様にして図１２の放送受信装置８１の構成では、図６の同期検出回路３１、及び図９の同期検出回路５１においても、遅延合わせのための遅延手段２１を削除することができる。図８の同期検出回路４１は元々遅延合わせを図７のループフィルタ３３におけるリセットホールド信号生成手段４４で行っており、回路規模削減の効果はないが、放送受信装置８１の構成で同一の機能を実現できることはもちろんである。
【００９５】
なお、本発明は、上記各実施の形態で説明した内容に限定されないことは勿論である。すなわち、
（１）ＡＴＳＣ規格の信号を受信する場合に限らず、誤り訂正部以前で同期検出を行う場合に同様にして、正確な同期タイミング検出と遅延プロファイル算出を両立できる。
【００９６】
（２）変形例１における図６の同期検出回路３１において、上位位置検出手段３２が最大値と第２位の位置を出力する構成としたが、例えば第２位の位置の代わりに最大値との差分を出力する構成としても良く、位置が分かるならばどのような形式でも良い。
【００９７】
（３）実施の形態１における図３の同期検出回路１３、変形例１における図６の同期検出回路３１、及び変形例３における図９の同期検出回路５１において、遅延手段２１を削除しても良い。その場合、等化前信号を処理するときに等化後信号との遅延差を考慮した動作をすれば、同一の機能を実現できる。
【００９８】
（４）実施の形態１における図３の同期検出回路１３、変形例１における図６の同期検出回路３１、及び変形例４における図１４の同期検出回路８４において、カウンタ２３は例えば最大値位置検出手段１００３や最大値位置検出手段３２に通常有しているカウンタと共用しても良い。
【産業上の利用可能性】
【００９９】
本発明に係る同期検出回路は、地上波デジタル放送受信装置や、無線受信機等に適用することができる。
【図面の簡単な説明】
【０１００】
【図１】実施の形態１における放送受信装置の機能構成の一例を示す図
【図２】ＡＴＳＣ方式のＶＳＢデータフレームのデータ構造を示す図
【図３】実施の形態１における同期検出回路の構成の一例を示した図
【図４】実施の形態１における相関手段の構成の一例を示した図
【図５】入力シンボル列と参照シンボル列との相互相関をとった結果得られた相関値列の一例を、グラフ化した図
【図６】変形例１における同期検出回路の構成の一例を示した図
【図７】変形例１におけるループフィルタの構成の一例を示した図
【図８】変形例２における同期検出回路の構成の一例を示した図
【図９】変形例３における同期検出回路の構成の一例を示した図
【図１０】変形例３における相関手段の構成の一例を示した図
【図１１】変形例３における相関手段の構成の他の一例を示した図
【図１２】変形例４における放送受信装置の機能構成の一例を示す図
【図１３】変形例４における波形等化部の機能構成の一例を示す図
【図１４】変形例４における同期検出回路の構成の一例を示した図
【図１５】従来の同期検出回路の構成を示した図
【図１６】従来の放送受信装置の機能構成の一例を示す図
【図１７】従来の放送受信装置の機能構成の他の一例を示す図
【符号の説明】
【０１０１】
１，８１    放送受信装置
２，８２    フロントエンド部
３    バックエンド部
１１    チューナ
１２    復調部
１３，３１，４１，５１，８４，１１３，１００１    同期検出回路
１４    誤り訂正部
２１    遅延手段
２２，６１，７２    セレクタ
２３    カウンタ
２４    遅延プロファイル記憶手段
２５，９５    データ選択手段
２６，３４，５３    同期タイミング検出手段
２７    遅延部
２８    参照シンボル列入力部
２９，４１    乗算器
３０，４２    加算器
３２    上位位置検出手段
３３    ループフィルタ
４３    参照シンボル列生成手段
４４    位置情報更新手段
４５    リセットホールド信号生成手段
４６    フリップフロップ
５２，１００２    相関手段
７１    メモリ
８３，１０１１    波形等化部
９１    係数生成部
１００３    最大値位置検出手段
１００４    信頼性測定手段
【図１】
2005333300.tif 000003
【図２】
2005333300.tif 000004
【図３】
2005333300.tif 000005
【図４】
2005333300.tif 000006
【図５】
2005333300.tif 000007
【図６】
2005333300.tif 000008
【図７】
2005333300.tif 000009
【図８】
2005333300.tif 000010
【図９】
2005333300.tif 000011
【図１０】
2005333300.tif 000012
【図１１】
2005333300.tif 000013
【図１２】
2005333300.tif 000014
【図１３】
2005333300.tif 000015
【図１４】
2005333300.tif 000016
【図１５】
2005333300.tif 000017
【図１６】
2005333300.tif 000018
【図１７】
2005333300.tif 000019